(57)【要約】【課題】刃物が販売された後において、販売された刃物の流通経路や購入者などの情報を特定する。【解決手段】刃物を製造する製造者の製造者装置が、刃物を識別する識別情報を、切刃が形成された刃物本体に打刻し、打刻した識別情報を刃物管理サーバに送信し、刃物を顧客に販売する販売者の販売者装置が、顧客を識別する顧客情報の入力を受け付け、顧客に販売する刃物に打刻された識別情報を読み取り、読み取った識別情報と、顧客情報とを刃物管理サーバに送信し、刃物管理サーバが、製造者装置から送信された刃物の識別情報と、販売者装置から送信された顧客情報とを対応付けて記憶し、刃物に打刻された識別情報を読み取り、読み取った識別情報に対応付けられた顧客情報を読み出し、読み出した顧客情報を出力する。【選択図】図１
2011013977.tif 000002
【特許請求の範囲】
【請求項１】
刃物を製造する製造者の製造者装置と、前記刃物を顧客に販売する販売者の販売者装置とネットワークを介して接続された刃物管理サーバとを備えた刃物管理システムであって、
前記製造者装置は、
前記刃物を識別する識別情報を、切刃が形成された刃物本体に打刻する打刻部と、
前記識別情報を前記刃物管理サーバに送信する製造情報送信部とを備え、
前記販売者装置は、
前記顧客を識別する顧客情報の入力を受け付ける顧客情報入力部と、
前記顧客に販売する前記刃物に打刻された前記識別情報を読み取る第１の読取部と、
前記第１の読取部が読み取った前記識別情報と、前記顧客情報とを前記刃物管理サーバに送信する販売情報送信部とを備え、
前記刃物管理サーバは、
前記識別情報と、前記顧客情報とが対応付けられた刃物情報が記憶される刃物情報記憶部と、
前記製造者装置から送信された前記刃物の識別情報と、前記販売者装置から送信された前記顧客情報とを対応付けて前記刃物情報記憶部に記憶させる刃物情報登録部と、
前記刃物に打刻された前記識別情報を読み取る第２の読取部と、
前記第２の読取部が読み取った前記識別情報に対応付けられて前記刃物情報記憶部に記憶された前記顧客情報を読み出す顧客情報読出部と、
前記顧客情報読出部が読み出した前記顧客情報を出力する出力部と、
を備えることを特徴とする刃物管理システム。
【請求項２】
前記刃物管理サーバの前記刃物情報記憶部には、複数の前記刃物に対応する前記刃物情報が記憶され、
前記刃物管理サーバは、
廃棄された前記刃物を識別する前記識別情報を受信する廃棄識別情報受信部と、
前記刃物情報記憶部に記憶された前記刃物情報のうち、前記廃棄情報受信部が受信した前記識別情報に一致する前記識別情報が含まれる前記刃物情報に、当該刃物が廃棄されたことを示す廃棄情報を対応付けて前記刃物情報記憶部に記憶させる廃棄情報登録部と、
前記刃物情報記憶部に記憶された複数の前記刃物情報のうち、前記廃棄情報が対応付けられた前記刃物情報の数と、前記廃棄情報が対応付けられていない前記刃物情報の数とを算出して前記出力部に出力させる刃物数算出部と、
を備えることを特徴とする請求項１に記載された刃物管理システム。
【請求項３】
前記刃物管理サーバの刃物情報記憶部には、前記刃物が前記顧客に販売された日を示す販売日情報が対応付けられて記憶され、
前記刃物管理サーバは、
前記刃物情報記憶部に記憶された複数の前記刃物情報に対応付けられた前記販売日情報から現在日までの経過日を算出し、算出した経過日が定められた日数を超える場合、当該刃物情報を前記出力部に出力させる経過日数判定部と、
を備えることを特徴とする請求項１または請求項２に記載された刃物管理システム。
【請求項４】
刃物を製造する製造者の製造者装置と、前記刃物を顧客に販売する販売者の販売者装置とネットワークを介して接続され、前記刃物を識別する識別情報と前記顧客を識別する顧客識別情報とが対応付けられた刃物情報が記憶される刃物情報記憶部を有する刃物管理サーバとを備えた刃物管理システムの刃物管理方法であって、
前記製造者装置が、
前記刃物を識別する識別情報を、切刃が形成された刃物本体に打刻するステップと、
前記識別情報を前記刃物管理サーバに送信するステップと、
前記販売者装置が、
前記顧客を識別する顧客情報の入力を受け付けるステップと、
前記顧客に販売する前記刃物に打刻された前記識別情報を読み取るステップと、
読み取った前記識別情報と、前記顧客情報とを前記刃物管理サーバに送信するステップと、
前記刃物管理サーバが、
前記製造者装置から送信された前記刃物の識別情報と、前記販売者装置から送信された前記顧客情報とを対応付けて前記刃物情報記憶部に記憶させるステップと、
前記刃物に打刻された前記識別情報を読み取るステップと、
読み取った前記識別情報に対応付けられて前記刃物情報記憶部に記憶された前記顧客情報を読み出すステップと、
前記顧客情報読出部が読み出した前記顧客情報を出力するステップと、
を備えることを特徴とする刃物管理方法。
【発明の詳細な説明】
【技術分野】
【０００１】
本発明は、流通する刃物を管理する情報技術に関する。
【背景技術】
【０００２】
近年、食品におけるＢＳＥ（Bovine Spongiform Encephalopathy）問題や産地偽装問題などの発生に伴って、食品の生産段階から消費段階までの流通経路に関する情報を記憶して消費者に提示する流通管理システムが提案されている（例えば、特許文献１）。このような流通管理システムでは、例えば、食品を識別する識別情報が印刷されたラベルが食品自体や梱包箱などに添付される。食品の流通過程の各段階において、食品に添付されたラベルから識別情報が読み取られ、読み取られた識別情報と流通経路とが対応付けられてコンピュータ装置に記憶される。食品に添付されたラベルの識別情報に対応する情報がコンピュータ装置から読み出されることで、消費者は食品の流通経路を知ることが可能である。
【０００３】
ところで、刃物を製造する製造者は、製造した刃物に製造会社名や品名などを刻印して出荷する。例えば、刃物を用いた犯罪等が発生した場合には、警察は証拠品である刃物の外観や刻印内容から製造者や販売者を調査して刃物の購入者を特定し、刃物の利用者を特定する手掛かりとすることがある。
【先行技術文献】
【特許文献】
【０００４】
【特許文献１】特開２００９−４８５９３号公報
【発明の概要】
【発明が解決しようとする課題】
【０００５】
しかしながら、刃物が販売された後に、その刃物に刻印された製造会社名や品名などに基づいて購入者を特定しようとする場合、その流通経路の捜査には相当の時間や手間がかかることとなる。そこで、上述のようなラベルを用いた流通管理システムを刃物に適用して刃物の個体管理を行うことが考えられるが、流通経路上や販売後において刃物からラベルが取り除かれたり、ラベル自体が偽装されたりする場合があると考えられる。また、上述のような流通管理システムは、販売時点までの流通経路を消費者に提示することを目的としており、販売後にも個体を特定しようとするものではない。ここで、刃物が購入者に販売された後においても、流通経路や購入者などの情報を特定することが望ましい。
【０００６】
本発明は、このような状況に鑑みてなされたもので、刃物が販売された後において、販売された刃物の流通経路や購入者などの情報を特定することが可能な刃物管理システムおよび刃物管理方法を提供する。
【課題を解決するための手段】
【０００７】
上述した課題を解決するために、本発明は、刃物を製造する製造者の製造者装置と、刃物を顧客に販売する販売者の販売者装置とネットワークを介して接続された刃物管理サーバとを備えた刃物管理システムであって、製造者装置は、刃物を識別する識別情報を、切刃が形成された刃物本体に打刻する打刻部と、識別情報を刃物管理サーバに送信する製造情報送信部とを備え、販売者装置は、顧客を識別する顧客情報の入力を受け付ける顧客情報入力部と、顧客に販売する刃物に打刻された識別情報を読み取る第１の読取部と、第１の読取部が読み取った識別情報と、顧客情報とを刃物管理サーバに送信する販売情報送信部とを備え、刃物管理サーバは、識別情報と、顧客情報とが対応付けられた刃物情報が記憶される刃物情報記憶部と、製造者装置から送信された刃物の識別情報と、販売者装置から送信された顧客情報とを対応付けて刃物情報記憶部に記憶させる刃物情報登録部と、刃物に打刻された識別情報を読み取る第２の読取部と、第２の読取部が読み取った識別情報に対応付けられて刃物情報記憶部に記憶された顧客情報を読み出す顧客情報読出部と、顧客情報読出部が読み出した顧客情報を出力する出力部と、を備えることを特徴とする。
【０００８】
また、本発明は、刃物管理サーバの刃物情報記憶部には、複数の刃物に対応する刃物情報が記憶され、刃物管理サーバは、廃棄された刃物を識別する識別情報を受信する廃棄識別情報受信部と、刃物情報記憶部に記憶された刃物情報のうち、廃棄情報受信部が受信した識別情報に一致する識別情報が含まれる刃物情報に、刃物が廃棄されたことを示す廃棄情報を対応付けて刃物情報記憶部に記憶させる廃棄情報登録部と、刃物情報記憶部に記憶された複数の刃物情報のうち、廃棄情報が対応付けられた刃物情報の数と、廃棄情報が対応付けられていない刃物情報の数とを算出して出力部に出力させる刃物数算出部と、を備えることを特徴とする。
【０００９】
また、本発明は、刃物管理サーバの刃物情報記憶部には、刃物が顧客に販売された日を示す販売日情報が対応付けられて記憶され、刃物管理サーバは、刃物情報記憶部に記憶された複数の刃物情報に対応付けられた販売日情報から現在日までの経過日を算出し、算出した経過日が定められた日数を超える場合、刃物情報を出力部に出力させる経過日数判定部と、を備えることを特徴とする。
【００１０】
また、本発明は、刃物を製造する製造者の製造者装置と、刃物を顧客に販売する販売者の販売者装置とネットワークを介して接続され、刃物を識別する識別情報と顧客を識別する顧客識別情報とが対応付けられた刃物情報が記憶される刃物情報記憶部を有する刃物管理サーバとを備えた刃物管理システムの刃物管理方法であって、製造者装置が、刃物を識別する識別情報を、切刃が形成された刃物本体に打刻するステップと、識別情報を刃物管理サーバに送信するステップと、販売者装置が、顧客を識別する顧客情報の入力を受け付けるステップと、顧客に販売する刃物に打刻された識別情報を読み取るステップと、読み取った識別情報と、顧客情報とを刃物管理サーバに送信するステップと、刃物管理サーバが、製造者装置から送信された刃物の識別情報と、販売者装置から送信された顧客情報とを対応付けて刃物情報記憶部に記憶させるステップと、刃物に打刻された識別情報を読み取るステップと、読み取った識別情報に対応付けられて刃物情報記憶部に記憶された顧客情報を読み出すステップと、顧客情報読出部が読み出した顧客情報を出力するステップと、を備えることを特徴とする。
【発明の効果】
【００１１】
以上説明したように、本発明によれば、刃物を製造する製造者の製造者装置が、刃物を識別する識別情報を、切刃が形成された刃物本体に打刻し、打刻した識別情報を刃物管理サーバに送信し、刃物を顧客に販売する販売者の販売者装置が、顧客を識別する顧客情報の入力を受け付け、顧客に販売する刃物に打刻された識別情報を読み取り、読み取った識別情報と、顧客情報とを刃物管理サーバに送信し、刃物管理サーバが、製造者装置から送信された刃物の識別情報と、販売者装置から送信された顧客情報とを対応付けて記憶し、刃物に打刻された識別情報を読み取り、読み取った識別情報に対応付けられた顧客情報を読み出し、読み出した顧客情報を出力するようにしたので、刃物が販売された後において、刃物に打刻された識別情報を読み取り、読み取った刃物情報に対応する刃物情報を出力することにより、販売された刃物の流通経路や購入者などの情報を特定することが可能となる。
【図面の簡単な説明】
【００１２】
【図１】本発明の一実施形態による刃物管理システムの構成例を示すブロック図である。
【図２】本発明の一実施形態によって打刻された刃物の例を示す図である。
【図３】本発明の一実施形態による刃物情報の例を示す図である。
【図４】本発明の一実施形態による刃物情報の例を示す図である。
【図５】本発明の一実施形態による刃物管理システムの動作例を示すシーケンス図である。
【発明を実施するための形態】
【００１３】
以下、本発明の一実施形態について、図面を参照して説明する。
図１は、本実施形態による刃物管理システム１の構成を示すブロック図である。刃物管理システム１は、製造者装置１００と、販売者装置２００と、読取装置３００と、刃物管理サーバ４００とを備えており、これらのコンピュータ装置がネットワークを介して接続されている。
【００１４】
製造者装置１００は、刃物を製造する製造者のコンピュータ装置である。ここで、刃物とは、鉄やステンレスなどの金属で作られ、対象を切るための道具であり、例えば、包丁、ナイフ、剃刀、はさみ、メス、鉈、斧、彫刻刀などが適用できる。製造者装置１００は、打刻部１１０と、製造情報送信部１２０とを備えている。
【００１５】
打刻部１１０は、製造者によって製造された刃物に、その刃物を識別する識別情報を打刻する。打刻部１１０は、例えば、圧縮エアを動力源としてペン先（スタイラス）を振動させ、対象（ワーク）にくぼみを付けてマーキングするエアペンを備えたマーキング装置である。図２は、打刻部１１０によって刃物に識別情報が打刻された例を示す図である。この図では、包丁（符号ａ）に二次元コード（符号ｂ）が打刻された例を示している。このような二次元コードとしては、いわゆるデータマトリクスやＱＲコード（登録商標）などが適用できる。ここでは、製造者装置１００によって、製造者装置１００の記憶領域に予め記憶された識別情報が二次元コード化され、打刻部１１０によって刃物に打刻される。例えば、打刻部１１０は５ミリ×５ミリ程度の範囲に１６ドット×１６ドットの打刻を行うことが可能であり、このような二次元コードには４０文字程度の文字情報を含ませることが可能である。このように打刻された識別情報は、直接ワーク（切断あるいは切削する切刃が形成される本体部分、または尖形部が形成される本体部分である刃物本体）に彫られるため、容易に消えることはなく、半永久的に残すことが可能である。
【００１６】
製造情報送信部１２０は、打刻部１１０によって刃物に打刻された識別情報が含まれる製造情報を刃物管理サーバ４００に送信する。ここで、製造者装置１００の記憶領域には、打刻部１１０による打刻の対象となる刃物に関する製造情報が記憶されている。製造情報には、例えば、刃物の製造社名、製造日時、刃物の個体を識別する識別情報である製造番号、品名などが含まれる。刃物に打刻する識別情報としては、例えば刃物の製造番号が適用できる。製造情報送信部１２０は、このような識別情報が含まれる製造情報を、ネットワークを介して刃物管理サーバ４００に送信する。
【００１７】
販売者装置２００は、刃物を顧客に販売する販売店に設置された販売者のコンピュータ装置である。販売者装置２００は、顧客情報入力部２１０と、読取部２２０と、販売情報送信部２３０と、廃棄情報送信部２４０とを備えている。
顧客情報入力部２１０は、顧客を識別する顧客情報の入力を受け付ける。顧客情報入力部２１０は、例えばキーボードやマウスなどの入力装置である。顧客情報入力部２１０に入力される顧客情報には、例えば、顧客の氏名、住所、電話番号などの文字情報が含まれる。また、顧客情報には、顧客の顔写真や身分証明書の複写などの画像情報が含まれるようにしても良い。ここでは、顧客情報入力部２１０に入力された顧客情報をＩＣ（Integrated Circuit）カードのＩＣチップに記憶させて顧客に発行するようにしても良い。
【００１８】
読取部２２０は、販売店において顧客に販売される刃物に打刻された識別情報を読み取る。読取部２２０は、例えば、刃物に打刻された二次元コードの部分に、光源によって光を照射し、照射した光をレンズで集光した結果に従って、白黒または明暗に応じた画像データを読み取る。読取部２２０は、読み取った画像データに含まれる二次元コードと予め定められたドットパターンとのマッチングを行ない、読み取った二次元コードが示す文字情報を読み取る。
【００１９】
販売情報送信部２３０は、読取部２２０が読み取った刃物の識別情報と、顧客情報入力部２１０に入力された顧客情報と、定められた販売情報とを、ネットワークを介して刃物管理サーバ４００に送信する。販売情報には、刃物を販売した販売店の販売業者名と、顧客に刃物を販売した販売日時とが含まれる。販売業者名は、販売者装置２００の記憶領域に予め記憶されている。販売者装置２００は計時機能を備えており、販売日時は、例えば読取部２２０が刃物から識別情報を読み取った時刻を示す情報である。
【００２０】
廃棄情報送信部２４０は、廃棄する刃物を識別する識別情報を刃物管理サーバ４００に送信する。販売店は、刃物を販売する一方、販売した刃物の廃棄を行なうこととする。例えば、販売店において刃物を購入した顧客は、刃物が不要になった場合に、不要になった刃物を販売店に持参する。販売店の販売員は、顧客が持参した不要になった刃物を受け取ると、受け取った刃物に打刻された識別情報を読取部２２０に読み取らせる。販売員は、販売者装置２００の入力部に刃物を廃棄することを示す情報を入力する。廃棄情報送信部２４０は、読取部２２０によって読み取られた識別情報を、廃棄情報として刃物管理サーバ４００に送信する。
【００２１】
読取装置３００は、刃物に打刻された識別情報を読み取り、読み取った識別情報に対応する刃物情報を刃物管理サーバ４００から読み出して表示するコンピュータ装置である。読取装置３００は、読取部３１０と、通信部３２０と、出力部３３０とを備えている。
読取部３１０は、刃物に打刻された識別情報を読み取る。
通信部３２０は、読取部３１０が読み取った識別情報を、刃物管理サーバ４００に送信し、送信した識別情報に応じて刃物管理サーバ４００から送信される刃物情報を受信する。
出力部３３０は、例えば情報を表示するディスプレイなどの表示装置であり、通信部３２０が刃物管理サーバ４００から受信した刃物情報を表示する。
【００２２】
刃物管理サーバ４００は、顧客に販売された刃物の情報を管理するコンピュータ装置である。刃物管理サーバ４００は、刃物情報記憶部４１０と、刃物情報登録部４２０と、読取部４３０と、顧客情報読出部４４０と、出力部４５０と、廃棄識別情報受信部４６０と、廃棄識別情報登録部４７０と、経過日数判定部４８０と、刃物数算出部４９０とを備えている。
【００２３】
刃物情報記憶部４１０には、刃物に打刻された識別情報が含まれる製造情報と、刃物が顧客に販売された販売日時が含まれる販売情報と、刃物を購入した顧客を識別する顧客情報とが対応付けられた刃物情報が記憶される。図３は、刃物情報記憶部４１０に記憶される刃物情報の例を示す図である。刃物情報記憶部４１０には、製造者によって製造され、販売店によって販売された複数の刃物に対応する複数の刃物情報が記憶される。図４は、刃物ａ〜刃物ｎの複数の刃物情報のデータの概念を示す図である。このように、刃物情報記憶部４１０には、様々な製造業者、様々な販売店、様々な顧客、様々な刃物に対応する刃物情報が記憶される。
刃物情報登録部４２０は、製造者装置１００から送信された製造情報と、販売者装置２００から送信された販売情報および顧客情報とを対応付けて刃物情報記憶部４１０に記憶させる。
【００２４】
読取部４３０は、製造者装置１００によって刃物に打刻された識別情報を読み取る。
顧客情報読出部４４０は、読取部４３０が読み取った識別情報に対応付けられて刃物情報記憶部４１０に記憶された刃物情報を読み出す。ここで、顧客情報読出部４４０が読み出す刃物情報には、顧客情報が含まれる。
出力部４５０は、顧客情報読出部４４０が読み出した刃物情報を出力する。出力部４５０は、読み出した刃物情報を読取装置３００に送信する送信部でも良いし、情報を表示するディスプレイなどの表示装置でも良い。
【００２５】
廃棄識別情報受信部４６０は、廃棄された刃物を識別する識別情報である廃棄情報を販売者装置２００から受信する。
廃棄識別情報登録部４７０は、刃物情報記憶部４１０に記憶された刃物情報のうち、廃棄識別情報受信部４６０が受信した廃棄情報に一致する識別情報が含まれる刃物情報に、刃物が廃棄されたことを示す廃棄情報を対応付けて刃物情報記憶部４１０に記憶させる。
【００２６】
経過日数判定部４８０は、刃物情報記憶部４１０に記憶された複数の刃物情報に対応付けられた販売日情報から現在日までの経過日を算出し、算出した経過日が定められた日数を超える場合、刃物情報を出力部４５０に出力させる。これにより、経過日数判定部４８０は、販売された複数の刃物のうち、販売されてから一定期間が経過した刃物情報を抽出して出力することが可能である。このように出力された刃物情報を参照すれば、例えば、刃物の製造者や販売者は、刃物の経年劣化などによるメンテナンスや買い替えに応じたダイレクトメール等を顧客に通知することができ、適切な事後サービスを提供することが可能である。
【００２７】
刃物数算出部４９０は、刃物情報記憶部４１０に記憶された複数の刃物情報のうち、廃棄情報が対応付けられた刃物情報の数と、廃棄情報が対応付けられていない刃物情報の数とを算出して、算出結果を出力部４５０に出力させる。このような算出結果を算出することで、例えば、刃物の製造者や販売者は、顧客に販売され利用されている刃物の数を把握することができ、このように把握した刃物の数に応じて、刃物の製造数や在庫数などの管理を適切に行うことが可能である。
【００２８】
次に、本実施形態による刃物管理システム１の動作例を説明する。図５は、刃物管理システム１の動作例を示すシーケンス図である。
製造者が刃物を製造すると、製造者装置１００の打刻部１１０は、製造された刃物に識別情報を打刻する（ステップＳ１）。製造者装置１００の製造情報送信部１２０は、刃物に打刻された識別情報が含まれる製造情報を刃物管理サーバ４００に送信する（ステップＳ２）。刃物管理サーバ４００の刃物情報登録部４２０は、製造者装置１００から製造情報を受信すると、受信した製造情報を刃物情報記憶部４１０に記憶させる（ステップＳ３）。
【００２９】
そして、製造された刃物は販売店において顧客に販売される。顧客が販売店に行って刃物を購入する際、販売者装置２００の顧客情報入力部２１０は、顧客情報の入力を受け付ける（ステップＳ４）。そして、販売者装置２００の読取部２２０は、販売される刃物に打刻された識別情報を読み取る（ステップＳ５）。販売者装置２００は、ステップＳ４において入力された顧客情報と、ステップＳ５において刃物から読み取った識別情報と、定められた販売情報とを、刃物管理サーバ４００に送信する（ステップＳ６）。刃物管理サーバ４００の刃物情報登録部４２０は、販売者装置２００から送信された販売情報と顧客情報とを、販売者装置２００から送信された識別情報に一致する識別情報に対応付けて刃物情報記憶部４１０に記憶させる（ステップＳ７）。
【００３０】
そして、例えば、販売された刃物を用いて犯罪が行なわれ、犯罪に用いられた刃物を警察が入手した場合を考える。このとき、読取装置３００の読取部３１０が、刃物に打刻された識別情報を読み取る（ステップＳ８）。通信部３２０は、ステップＳ８において読み取られた識別情報を刃物管理サーバ４００に送信する（ステップＳ９）。刃物管理サーバ４００の顧客情報読出部４４０は、受信した識別情報に対応する刃物情報を、刃物情報記憶部４１０から読み出す（ステップＳ１０）。刃物管理サーバ４００の出力部４５０は、読み出した刃物情報を読取装置３００に送信する（ステップＳ１１）。読取装置３００は、刃物管理サーバ４００から送信された刃物情報を出力部３３０に表示させる（ステップＳ１２）。刃物情報には、刃物を購入した顧客を識別する顧客情報が含まれている。これにより、警察は、表示された刃物情報を参照することで、刃物を購入した顧客を特定するための有力な手掛かりとなる。
【００３１】
なお、本実施形態では、顧客が販売店において刃物を購入する際に、販売者装置２００の顧客情報入力部２１０に顧客情報を入力するようにしたが、予め登録された顧客情報が記憶されたＩＣカードを顧客に発行しておくようにしても良い。この場合、顧客が刃物を購入する際には販売店にＩＣカードを持参し、顧客情報入力部２１０がＩＣカードに記憶された顧客情報を読み出すことにより入力されるようにしても良い。ここでは、顧客情報入力部２１０として、ＩＣカードに記憶された情報を読み出すＩＣカードリーダが適用できる。
【００３２】
また、刃物の販売時には、打刻された識別情報と同様の二次元コードを印刷した保証書を顧客に渡すようにして、顧客は、携帯電話端末などに保証書に印刷された二次元コードを読み取らせるようにしても良い。二次元コードを読み取った携帯電話端末は、ネットワークを介して刃物管理サーバ４００にアクセスし、刃物情報を読出して表示するようにしても良い。
【００３３】
また、刃物情報記憶部４１０には、製造時や販売時の情報だけでなく、製造者と販売者との間の流通過程の情報が記憶されるようにしても良いし、例えば刃物が研がれたことなどの履歴を示す情報が対応付けられて記憶されるようにしても良い。
また、刃物を購入した顧客は、自身が所持する刃物に識別情報が刻印され、自身の情報が顧客情報として登録されていることを以て、刃物の正規品の正当な購入者であることを証明できる。製造者や販売者は、このような顧客に対して優待的なメンテナンスサービスを提供することなどによって顧客を囲い込む効果が期待できる。
【００３４】
以上説明したように、本実施形態によれば、製造、販売された刃物の個体一つ一つに、二次元コード化した識別情報を打刻するとともに、打刻した刃物が販売された日時や購入した顧客などの刃物情報を記憶し、刃物に打刻された識別情報に対応する刃物情報を照会させることで、刃物個体でのトレーサビリティを向上させることが可能である。また、打刻される二次元コードは５ミリ×５ミリ程度の大きさであるため、打刻可能な平面が狭い刃物に対しても打刻することが可能である。これにより、例えば、刃物を用いた犯罪が発生した場合に、刃物に打刻された識別情報に基づいて、所持者を特定するための情報を得ることが可能である。さらに、このように容易に刃物の購入者を特定することが可能になることにより、刃物を用いた犯罪の抑止効果が期待できる。
【００３５】
なお、本発明における処理部の機能を実現するためのプログラムをコンピュータ読み取り可能な記録媒体に記録して、この記録媒体に記録されたプログラムをコンピュータシステムに読み込ませ、実行することにより刃物情報の管理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３７】
１  刃物管理システム
１００  製造者装置
１１０  打刻部
１２０  製造情報送信部
２００  販売者装置
２１０  顧客情報入力部
２２０  読取部
２３０  販売情報送信部
２４０  廃棄情報送信部
３００  読取装置
３１０  読取部
３２０  通信部
３３０  出力部
４００  刃物管理サーバ
４１０  刃物情報記憶部
４２０  刃物情報登録部
４４０  顧客情報読出部
４３０  読取部
４５０  出力部
４６０  廃棄識別情報受信部
４７０  廃棄識別情報登録部
４８０  経過日数判定部
４９０  刃物数算出部
【図１】
2011013977.tif 000003
【図２】
2011013977.tif 000004
【図３】
2011013977.tif 000005
【図４】
2011013977.tif 000006
【図５】
2011013977.tif 000007